(57)【特許請求の範囲】
【請求項１】
操作ロッドを筒体内の軸方向に沿って摺動自在に収容する外筒と、
ゴルフボールを上方から包囲して把持する中空球帯状の弾性キャップを有し、操作ロッドの下端が中空球帯状の弾性キャップ内に出没するように、外筒の下端部に固定されるボール着脱体と、
外筒の上方に突出し、操作ロッドの上端部に固定される操作部と、
外筒に対して操作部を上方へ付勢する復帰バネとを備えたゴルフボールのピックアップ補助具であって、
ボール着脱体の弾性キャップの上端に、マーカー収容室を形成したマーカー保持筒を一体に連設するとともに、中空球帯状の弾性キャップの内頂面にマーカー収容室に連通する開口部を形成し、マーカー収容室に臨む開口部の内壁面から開口の中心に向けて仮止め突部を一体に突設し、
弾性キャップに外力が加わらない自由状態で、仮止め突部により、前記マーカーをマーカー収容室内に仮保持し、
外筒により弾性キャップをグリーン上に押し付け、中空球帯状の弾性キャップが屈曲する変形状態で、屈曲する弾性キャップに連動して開口部の開口の中心から拡径方向に後退する仮止め突部により、マーカー収容室内への仮保持が解かれた前記マーカーをグリーン上へ配置することを特徴とするゴルフボールのピックアップ補助具。
【請求項２】
操作ロッドの下端は、マーカー収容室の内頂面から出没することを特徴とする請求項１に記載のゴルフボールのピックアップ補助具。
【請求項３】
操作部内に金属製のマーカーを吸着するマグネットが収容されていることを特徴とする請求項１又は２のいずれか１項に記載のゴルフボールのピックアップ補助具。
【請求項４】
操作部の上面は、平坦面で形成され、マグネットで平坦面上にディスク状のマーカーを吸着させて支持することを特徴とする請求項３に記載のゴルフボールのピックアップ補助具。
【発明の詳細な説明】
【技術分野】
【０００１】
本発明は、グリーン上のゴルフボールを腰を曲げることなく拾い上げるゴルフボールのピックアップ補助具に関し、更に詳しくは、ゴルフボールを拾い上げたグリーン上の位置に腰を曲げることなく、マーカーをセットするゴルフボールのピックアップ補助具に関する。
【背景技術】
【０００２】
パッティンググリーン上でゴルフボールを拾い上げ、また、パッティング前に拾い上げた位置にゴルフボールをセットする動作は、腰を折り曲げる動作となるために、苦痛を伴うだけでなく、背痛や腰痛の原因となっていた。
【０００３】
そこで、腰を曲げずに、これらの動作を可能とするピックアップ補助具として、ゴルフクラブのグリップエンドから、弾性力を発揮する弾性挟持部材を出没させて、グリーン上のゴルフボールを弾性挟持部材で抱持してピックアップし、ゴルフボールを抱持した弾性挟持部材をグリップエンド内に後退させて、セットしようとするグリーン上にゴルフボールを配置するゴルフボールの捕拾装置が提案されている（特許文献１）。
【０００４】
また、支持軸が挿入された支持管の下端に、支持軸の下端が出没する収容筒を取り付け、グリーン上のゴルフボールの上から収容筒を下降させ、ゴルフボールを収容した収容筒内に支持軸を突出させてゴルフボールを拾い上げ、ゴルフボールを配置する場合には、ゴルフボールを収容した収容筒から支持軸を後退させて、セットしようとするグリーン上にゴルフボールを配置するボール補治具が提案されている（特許文献２）。
【０００５】
更に、ゴルフボールのピックアップと、マーカーのセットの動作を、腰を曲げずに行う図７に示すゴルフボール用ピックアップ補助具１００が提案されている（特許文献３）。このピックアップ補助具１００は、ゴルフクラブ１０１の下端に結合される補助具で、ゴルフクラブ１０１の軸回りに並ぶ複数の保持部材１０２、１０２を備え、ゴルフクラブ１０１を軸方向に移動させて保持部材１０２、１０２間でゴルフボール１１０を掴み保持する。
【０００６】
いずれかの保持部材１０２には、マーカー１１１の背面側を支持する支持面１０３と、支持面１０３に平行な板状部材１０４が形成され、板状部材１０４の長孔にマーカー１１１の突起を挿入して、板状部材１０４と支持面１０３との間にマーカー１１１を仮保持する。
【０００７】
マーカー１１１を仮保持した状態で、グリーン上のゴルフボール１１０へ上方からピックアップ補助具１００を下降させると、保持部材１０２、１０２間にゴルフボール１１０が保持されると共に、マーカー１１１の突起がグリーンへ突き刺さる。その後、板状部材１０４の長孔が開口する方向と逆方向にピックアップ補助具１００を移動させると、マーカー１１１はグリーン上にセットされた状態で残り、保持されたゴルフボール１１０を、腰を曲げずに拾い上げることができる。
【０００８】
【特許文献１】実開昭６４−５０８６５号公報（実用新案登録請求の範囲、第２図）
【特許文献２】特開２００５−１０３２０３号公報（項目０００６、図２）
【特許文献３】特許第３６５７５５３号公報（第６頁第９行乃至第７頁第２行、図９）
【発明の開示】
【発明が解決しようとする課題】
【０００９】
特許文献１に記載のゴルフボールの捕拾装置や特許文献２に記載のボール補治具は、ゴルフボールのピックアップと所定位置へのセットを、腰を曲げずに行うことができるが、ゴルフボールをピックアップした位置にマーカーをセットする際や、セットしたマーカーを拾い上げる際には、かがみ込み腰を曲げて行う必要がある。
【００１０】
一方、特許文献３に記載のピックアップ補助具によれば、ゴルフボールのピックアップとマーカーのセットを、腰を曲げずに行うことができるが、同じピックアップ補助具を用いてゴルフボールのセットや、マーカーのピックアップを行うことはできないので、これらの動作はかがみ込んで行う必要がある。
【００１１】
また、特許文献３に記載のピックアップ補助具では、ゴルフクラブの周囲に取り付けられるいずれかの保持部材にマーカーの仮保持部を形成するので、軸回りの形状が複雑、大型化し、キャディバックに収容しようとしても、他のゴルフクラブと干渉し、収容できない形状となっていた。更に、マーカーを仮保持する位置が装着するゴルフクラブの軸回りで、ピックアップするゴルフボールの位置と異なるので、マーカーが仮保持された保持部材の方向を確認しながら、ピックアップ補助具をグリーンの方向へ押し下げる必要があり、煩わしいものとなっていた。
【００１２】
以上の通り、パッティンググリーン上でのいずれかの動作を、かがまずに行うことを可能としたピックアップ補助具は、種々提案されているものの、ゴルフボールのピックアップとその位置へのマーカーのセット、及びマーカーの位置へのゴルフボールのセットの全ての動作をかがまずに行うことはできず、更に、パッティング前のマーカーのピックアップ動作まで含めたグリーン上の全ての動作を、腰を曲げずに行うことが従来から望まれているにもかかわらず、これを解決することができなかった。
【００１３】
本発明は、パッティンググリーン上で、かがみ込む動作を一切行わずに、ゴルフプレーが可能なゴルフボールのピックアップ補助具を提供することを目的とする。
【００１４】
また、他のゴルフクラブと共にキャディバックへ収容可能な簡単な構造で、ゴルフボールとマーカーのピックアップ及びセットが可能なゴルフボールのピックアップ補助具を提供することを目的とする。
【課題を解決するための手段】
【００１５】
上述の目的を達成するため、請求項１のゴルフボールのピックアップ補助具は、操作ロッドを筒体内の軸方向に沿って摺動自在に収容する外筒と、ゴルフボールを上方から包囲して把持する中空球帯状の弾性キャップを有し、操作ロッドの下端が中空球帯状の弾性キャップ内に出没するように、外筒の下端部に固定されるボール着脱体と、外筒から上方に突出して、操作ロッドの上端部に固定される操作部と、外筒に対して操作部を上方へ付勢する復帰バネとを備えたゴルフボールのピックアップ補助具であって、
ボール着脱体の弾性キャップの上端に、マーカー収容室を形成したマーカー保持筒を一体に連設するとともに、中空球帯状の弾性キャップの内頂面にマーカー収容室に連通する開口部を形成し、マーカー収容室に臨む開口部の内壁面から開口の中心に向けて仮止め突部を一体に突設し、弾性キャップに外力が加わらない自由状態で、仮止め突部により、前記マーカーをマーカー収容室内に仮保持し、外筒により弾性キャップをグリーン上に押し付け、中空球帯状の弾性キャップが屈曲する変形状態で、屈曲する弾性キャップに連動して開口部の開口の中心から拡径方向に後退する仮止め突部により、マーカー収容室内への仮保持が解かれた前記マーカーをグリーン上へ配置することを特徴とする。
【００１６】
グリーン上のゴルフボールの上方から、外筒を押し下げると、中空球帯状の弾性キャップがゴルフボールを上方から包囲し、ゴルフボールは、その周囲に弾性接触する中空球帯状の弾性キャップの弾力により発生する摩擦で中空球帯状の弾性キャップ内に保持され、グリーン上から拾い上げられる。
【００１７】
復帰バネに抗して操作部を下降させると、操作部に固定する操作ロッドが外筒に対して下降し、操作ロッドの下端が中空球帯状の弾性キャップ内に突き出て、弾性キャップ内に保持されたゴルフボールを押し出し、所望のグリーン上の位置にゴルフボールがセットされる。操作部への操作を解くと、復帰バネの弾性によって操作ロッドは、弾性キャップから後退し、操作部と共に原位置へ復帰する。
【００１８】
マーカーをマーカー収容室に配置すると、弾性キャップに外力が加わらない状態で、マーカー収容室の下方の開口の中心に向けて仮止め突部が突出するので、下方に脱落することなく、マーカー収容室に仮保持される。マーカーをセットするグリーン上で、外筒を下降させると、中空球帯状の弾性キャップが屈曲変形し、マーカー収容室は下降するとともに、屈曲する弾性キャップに連動して仮止め突部が開口の中心から後退し、グリーンに接近した位置で仮止め突部による仮保持が解かれ、マーカーは、セットしようとするグリーン上に配置され。
【００１９】
請求項２のゴルフボールのピックアップ補助具は、操作ロッドの下端は、マーカー収容室の内頂面から出没することを特徴とする。
【００２０】
外筒を下降させて、屈曲変形する弾性キャップに連動して仮止め突部が開口の中心から後退する際に、操作部を下降させると、操作ロッドの下端が中空球帯状の弾性キャップ内に突出し、マーカー収容室に仮保持されているマーカーは、操作ロッドによりグリーン上に確実に押し出される。
【００２１】
マーカー収容室に仮保持されるマーカーが、突起を有するマーカーである場合には、操作ロッドの下端でマーカーを押圧し、マーカーの突起をグリーンへ突き刺してグリーン上にセットできる。
【００２２】
請求項３のゴルフボールのピックアップ補助具は、操作部内に金属製のマーカーを吸着するマグネットが収容されていることを特徴とする。
【００２３】
グリーン上にセットされたマーカーは、操作部を接近させると、操作部内に収容されたマグネットによって操作部に吸着し、腰を曲げずに拾い上げることができる。
【００２４】
請求項４のゴルフボールのピックアップ補助具は、操作部の上面は、平坦面で形成され、マグネットで平坦面上にディスク状のマーカーを吸着させて支持することを特徴とする。
【００２５】
マーカーをピックアップする為に用いるマグネットにより、ピックアップしたマーカーは、使用しない間、マグネットを利用して操作部の平坦面に支持される。
【発明の効果】
【００２６】
請求項１の発明によれば、グリーン上からのゴルフボールのピックアップと、ピックアップした位置へのマーカーのセット、及びマーカーをセットした位置へのゴルフボールのセットの動作を、同一のピックアップ補助具を用いて、腰を曲げることなく行うことができる。
【００２７】
マーカーを仮保持するマーカー収容室が形成されたマーカー保持筒とゴルフボールを保持する弾性キャップは、同一弾性材料で同軸状に一体に成形できるので、補助具の構成が複雑、大型化せず、他のゴルフクラブとともにキャディバックへ収納可能なコンパクトな構造とすることができる。
【００２８】
また、マーカーは、外筒の軸線の延長線上のマーカー収容室から仮止め突部による仮保持が解かれ、グリーン上に配置されるので、外筒の軸回りのマーカーが配置された方向を考慮することなく、外筒の延長線上にマーカーをセットできる。
【００２９】
更に、マーカー収容室内に仮止め突部で仮保持されるマーカーは、弾性キャップの屈曲によってマーカー収容室がグリーンに充分に接近した位置で仮保持が解かれるので、マーカー収容室から落下したマーカーが、外筒の軸線の延長位置から外れた位置に転がり配置されることがない。
【００３０】
請求項２の発明によれば、マーカー収容室に収容されるマーカーを、グリーン上にセットする際に、仮止め突部が拡径方向に充分後退しなくても、弾性キャップ内に突出する操作部の下端でマーカーが押し出され、マーカーを確実にグリーン上にセットできる。
【００３１】
また、マーカーが、突起をグリーンへ突き刺してセットするマーカーであっても、操作部の下端でマーカーを押圧し、マーカーの突起をグリーンへ突き刺してグリーン上にセットすることができる。
【００３２】
請求項３の発明によれば、ゴルフボールとマーカーのピックアップとグリーン上へのセットというグリーン上で行う全ての動作を、同一のピックアップ補助具を用いて、腰を曲げることなく行うことができる。
【００３３】
請求項４の発明によれば、マーカーをピックアップする為に用いるマグネットを利用して、使用しない間のマーカーを操作部の上面に支持させておくことができるので、マーカーを紛失することなく、グリーン上にセットする際に、上面から簡単に外してマーカー収容室内に収容できる。
【発明を実施するための最良の形態】
【００３４】
以下、本発明の一実施の形態に係るゴルフボールのピックアップ補助具１を、図１乃至図６を用いて説明する。図１は、ピックアップ補助具１の縦断面図、図２は、同正面図、図３、ゴルフボールＢをピックアップする状態を、図４は、セットする状態をそれぞれ示す要部断面図、図５、図６は、マーカー６０、７０をパッティンググリーン（以下、グリーンＧという）上にセットする状態を示す要部断面図である。
【００３５】
これらの図に示すように、本実施の形態に係るゴルフボールのピックアップ補助具１は、上端部に操作部２が固定された操作ロッド３と、操作ロッド３を筒体内の軸方向に沿って摺動自在に収容する外筒４と、外筒４の下端に固定されたボール着脱体５と、外筒４に対して操作部２を上方へ付勢する復帰バネ６とを備えている。
【００３６】
外筒４は、硬質プラスチックで円筒形に成形されたもので、下端に固定されたボール着脱体５を、グリーンＧへ接地させた際に外筒４上方の操作部２が、ゴルフプレーヤーの腰付近の高さとなるように、軸方向（図１において上下方向）の長さが６０ｃｍ程度の長さとなっている。しかしながら、軸方向の長さは、個人差に応じて異なる長さとしてもよく、操作ロッド３とともに伸縮自在の構造としてもよい。
【００３７】
また、外筒４の外側面の上方には、帯状金属バネ片を下向きＵ字状に折り曲げたフッカー４２が固定されている。このフッカー４２は、グリーンＧ上でピックアップ補助具１を使用しない間に、パッティングなどのじゃまにならないように、ベルトなどに挟んでピックアップ補助具１を持ち運ぶものである。
【００３８】
外筒４の上方の内壁面には、バネ受け突起４１が外筒４の軸回りにリング状に一体に形成され、図１に示すように、その上面で復帰バネ６の基端を支持している。また、バネ受け突起４１の下面は、リング状のバネ受け突起４１に挿通する操作ロッド３の外側面から突設された抜け止め突起３１を当接させることにより、復帰バネ６で操作部２を介して上方へ付勢される操作ロッド３を抜け止めしている。
【００３９】
操作ロッド３は、上述の抜け止め突起３１と下端の押し出し部３２を除き、バネ受け突起４１と螺旋状の復帰バネ６内を挿通する外径に、外筒４と同様に硬質プラスチックで円柱状に形成され、軸方向の長さは、抜け止め突起３１がバネ受け突起４１に当接する状態（以下、非操作状態という）で、上端が外筒４から上方に突出し、押し出し部３２の下面が外筒４の下端付近に位置する長さとなっている。また、押し出し部３２は、外筒面が外筒４内に遊嵌するように、外筒４の内径とほぼ等しい外径となってる。
【００４０】
操作部２も、硬質プラスチックなどの合成樹脂で形成され、操作ロッド３の上端部の周囲に固着される連結部２１と、連結部２１の上方に一体に形成された摘み部２２とからなっている。連結部２１は、内筒面が操作ロッド３に外嵌し、外筒面が外筒４内に遊嵌する円筒状に形成され、図１に示すように、連結部２１の下面とバネ受け突起４１との間に復帰バネ６を圧縮して収容した状態で、内筒面と操作ロッド３間を接着剤で固着し、操作ロッド３の上端部に固定している。従って、操作部２は、圧縮された復帰バネ６により常に上方に付勢されるが、上述のように、操作部２と一体の操作ロッド３の抜け止め突起３１がバネ受け突起４１に当接するので、当接する非操作状態で、連結部２１の一部が外筒４から上方に突出して、位置決めされる。また、操作部２の連結部２１と、操作部２が固定された操作ロッド３の押し出し部３２が、それぞれ外筒４の上下の位置で内筒面に遊嵌するので、操作ロッド３と操作部２は、外筒４の軸方向に沿って摺動するように案内される。
【００４１】
摘み部２２は、内部にディスク状のマーカー６０とほぼ同様の大きさのマグネット７を収容するため、連結部２１より大径に形成され、その上方に連設される。非操作状態から摘み部２２を押し下げると、操作ロッド３は外筒４の軸方向に沿って下降し、押し下げ操作を解くと、復帰バネ６の弾性によって非操作状態に復帰する。この押し下げ操作の最大ストロークは、図１に示すように、外筒４の上面と拡径された摘み部２２間の長さｄとなるが、ここでは非操作状態の押し出し部３２が、屈曲変形させたボール着脱体５の底面（図６（ｃ）参照）、すなわちグリーンＧの表面に達する長さより長く、非操作状態で外筒４を握った手の一部の指が摘み部２２を押し下げ操作できる程度の長さに調整する。この押し下げ操作の最大ストロークｄは、非操作状態で外筒４上に突出する連結部２１の長さを調整して容易に調整できる。
【００４２】
摘み部２２の上面には、ディスク状のマーカー６０を水平に配置する円形の位置決め凹部２３が形成され、位置決め凹部２３と平行に摘み部２２内に埋設されたマグネット７によって吸着した金属製のマーカー６０を、位置決め凹部２３内に保持できるようにしている。
【００４３】
ボール着脱体５は、ゴルフボールＢを把持する中空球帯状に形成された弾性キャップ５１と、外筒４の下端の周囲に固着される固定部５２と、弾性キャップ５１と固定部５２の間に形成されるマーカー保持筒５３とが、シリコンゴムなどの合成ゴムにより一体に成形さたものである。
【００４４】
弾性キャップ５１は、ゴルフボールＢの球面の曲率よりわずかに大きい曲率で、ゴルフボールＢを上方から包囲する中空球帯状に形成され、下方で開口するリング状底部５１ａの円周がゴルフボールＢの大円よりわずかに短い長さとなっている。従って、ゴルフボールＢの上方から弾性キャップ５１を下方に向けて押し付けると、リング状底部５１ａはゴルフボールＢの球面に沿って広がり、大円の位置で拡径方向に最大変位する。その結果、ゴルフボールＢは、その球面に弾性接触する弾性キャップ５１との摩擦力により、弾性キャップ５１内に落下せずに支持される。尚、図３に示すように、弾性キャップ５１をゴルフボールＢの下半球面まで包囲する形状に形成し、大円を通過させたリング状底部５１ａによって、ゴルフボールＢを下方から支持し、より確実にゴルフボールＢを支持する構造としてもよい。
【００４５】
弾性キャップ５１のその内頂面は、円形の開口部５４により開口し、開口部５４の周囲に円筒状のマーカー保持筒５３が立設されている。マーカー保持筒５３内には、ディスク状のマーカー６０を収容する大きさの円筒状のマーカー収容室５５が形成され、その下方は、弾性キャップ５１の開口部５４を介して弾性キャップ５１内に連通している。しかしながら、開口部５４の内壁面に、開口の中心に向かって、リング状の仮止め突部５６が一体に突設され、弾性キャップ５１に外力が加わらない図１、図５（ａ）に示す自由状態では、マーカー収容室５５に収容されたマーカー６０は、仮止め突部５６によりその下面が支持され、弾性キャップ５１内に落下しない構造となっている。
【００４６】
固定部５２は、外筒４を挿通させる挿通孔の内壁面と外筒４の下端部との間を接着剤で接着し、外筒４の下端部の周囲に固着される。従って、固定部５２を挿通する外筒４の下端は、マーカー収容室５５内に連通し、外筒４内を摺動する操作ロッド３の押し出し部３２が、マーカー収容室５５の内頂面から中空球帯状の弾性キャップ５１内に出没する。また、外筒４を下方へ押し下げることによって、固定部５２とマーカー保持筒５３を介して弾性キャップ５１の開口部５２の周縁に下方への押圧力が作用し、グリーンＧとの間に挟まれた弾性キャップ５１は、図５（ｂ）（ｃ）、図６（ｂ）（ｃ）のように屈曲変形する。
【００４７】
以下、このように構成されたゴルフボールのピックアップ補助具１を用いて、ゴルフボールＢとディスク状のマーカー６０を、ピックアップ若しくはセットする作用を説明する。グリーンＧ上に落下したゴルフボールＢをピックアップする場合には、図３（ａ）に示すように、ピックアップ補助具１の外筒４を持って、ゴルフボールＢの上方から弾性キャップ５１を下方に向けて押し付け、図３（ｂ）に示すように、弾性キャップ５１でゴルフボールＢを包囲し保持する。これにより、弾性キャップ５１からゴルフボールＢは落下せず、弾性キャップ５１に保持させながら拾い上げることができる。
【００４８】
ゴルフボールＢをピックアップしたグリーンＧ上の位置にマーカー６０をセットする場合には、弾性キャップ５１からゴルフボールＢを取り出し、図５（ａ）に示すように、マーカー６０を仮止め突部５６を撓ませてマーカー収容室５５内に収容する。続いて、ゴルフボールＢをピックアップした位置にピックアップ補助具１を起立させ、図５（ｂ）のように、外筒４を下方へ押し付けて、グリーンＧとの間で弾性キャップ５１を圧縮させる。その結果、中空球帯状に形成された弾性キャップ５１は、外筒４の下降に伴って屈曲変形し、マーカー収容室５５が下降すると同時に、弾性キャップ５１の屈曲変形に連動して仮止め突部５６が開口部５４の中心から拡径方向に後退する。外筒４を更に下降させ、図５（ｃ）のように、マーカー収容室５５がグリーンＧに接近する位置まで下降させると、マーカー収容室５５の下方に突出していた仮止め突部５６は完全に後退し、自重でマーカー６０がグリーンＧ上に落下し、マーカー６０がセットされる。尚、この際に、外筒４を握りながら操作部２を押し下げて、押し出し部３２を弾性キャップ５１内に突き出し、マーカー収容室５５からマーカー６０を確実にグリーンＧ上へ配置させるようにしてもよい。
【００４９】
パッティングを行う際に、セットしたマーカー６０をピックアップする場合には、ピックアップ補助具１を上下反転させて、操作部２の摘み部２２をマーカー２０へ接近させる。金属製であるマーカー２０は、摘み部２２内に埋設されたマグネット７により摘み部２２に吸着させてピックアップすることができる。ピックアップしたマーカー２０は、摘み部２２の位置決め凹部２３へ配置し、マグネット７に吸着させた状態で位置決め凹部２３内に保持できる。
【００５０】
マーカー２０をピックアップした位置に、ゴルフボールＢをセットする場合には、弾性キャップ５１内にゴルフボールＢを収容して保持した状態で、セットするグリーンＧ上にゴルフボールＢを保持した弾性キャップ５１を移動する。その後、図４（ｃ）に示すように、外筒４を握りながら操作部２を押し下げて、押し出し部３２で弾性キャップ５１に保持されたゴルフボールＢを押し出し、グリーンＧ上にゴルフボールＢをセットする。
【００５１】
このゴルフボールのピックアップ補助具１では、突起７１をグリーンＧへ突き刺してセットするマーカー７０であっても、所定のグリーンＧの位置へセットすることができる。図６で、マーカー７０をセットする方法を説明すると、突起７１を備えた金属性のマーカー７０は、図６（ａ）に示すように、突起７１を下方に突出させたマーカー７０の周囲を仮止め突部５６で支持し、マーカー収容室５５内に収容する。続いて、ゴルフボールＢをピックアップした位置にピックアップ補助具１を起立させ、外筒４を下方へ押し下げて、弾性キャップ５１を屈曲変形させると、図６（ｂ）のように、マーカー収容室５５が下降し、マーカー７０の突起７１がグリーンＧに接する。外筒４を押し下げたこの状態で、図６（ｃ）のように、更に、操作部２を復帰バネ６のバネ圧に抗して押し下げると、マーカー収容室５５から弾性キャップ５１内に突き出される押し出し部３２が、マーカー７０の上面を押圧してグリーンＧ内に突起７１が突き刺さり、マーカー７０がセットされる。
【００５２】
その後、ピックアップ補助具１を取り除き、操作部２への押圧を解くと、復帰バネ６の弾性によって、操作ロッド３と操作部２の全体が上方の非操作状態の位置に復帰する。また、グリーンＧ内に突起７１を突き刺してセットされたマーカー７０は、マーカー６０と同様に、摘み部２２内に埋設されたマグネット７で摘み部２２に吸着させてピックアップすることができる。
【００５３】
上述の各実施の形態では、操作部２の摘み部２２の上面に、マーカー６０を保持する位置決め凹部２３を形成したために連結部２１より大径の形状となっているが、位置決め凹部２３を形成する必要がなければ、連結部２１の上部を摘み部２２としてもよい。
【００５４】
また、操作部２は、操作ロッド３に固定する構造で説明したが、操作ロッド３の上部に操作部２を一体に成形することもできる。
【００５５】
また、弾性キャップの形状は、ゴルフボールを上方から包囲して保持する中空球帯状の輪郭を有していれば、必ずしも上述した形状に限らない。
【産業上の利用可能性】
【００５６】
本発明は、ゴルフのグリーン上で使用するゴルフボールのピックアップ補助具に適している。
【図面の簡単な説明】
【００５７】
【図１】本発明の一実施の形態に係るピックアップ補助具１の縦断面図である。
【図２】ピックアップ補助具１の正面図である。
【図３】ゴルフボールＢをピックアップする操作を示し、（ａ）は、弾性キャップ５１がゴルフボールＢに当接した状態を、（ｂ）は、弾性キャップ５１でゴルフボールＢを保持した状態を、それぞれ示す要部断面図である。
【図４】ゴルフボールＢをグリーンＧ上にセットする状態を示す要部断面図である。
【図５】マーカー６０をグリーンＧ上にセットする操作を示し、（ａ）は、マーカー６０をマーカー収容室５５へ収容した状態を、（ｂ）は、外筒４を押し下げた状態を、（ｃ）は、外筒４を更に押し下げ、マーカー６０をセットした状態を、それぞれ示す要部断面図である。
【図６】マーカー７０をグリーンＧ上にセットする操作を示し、（ａ）は、マーカー７０をマーカー収容室５５へ収容した状態を、（ｂ）は、外筒４を押し下げた状態を、（ｃ）は、マーカー７０の突起７１をグリーンＧへ突き刺して、マーカー７０をセットした状態を、それぞれ示す要部断面図である。
【図７】従来のゴルフボールのピックアップ補助具１００を示す要部正面図である。
【符号の説明】
【００５８】
１    ゴルフボールのピックアップ補助具
２    操作部
３    操作ロッド
４    外筒
５    ボール着脱体
５１  弾性キャップ
５３  マーカー保持筒
５４  開口部
５５  マーカー収容室
５６  仮止め突部
６    復帰バネ
７    マグネット
６０  マーカー
７０  マーカー
７１  突起
Ｂ    ゴルフボール
Ｇ    グリーン
【図１】
0004359643.tif 000002
【図２】
0004359643.tif 000003
【図３】
0004359643.tif 000004
【図４】
0004359643.tif 000005
【図５】
0004359643.tif 000006
【図６】
0004359643.tif 000007
【図７】
0004359643.tif 000008